【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
患者の腎動脈または腎動脈の近くの神経を調節するよう構成した神経調節構成部と、
前記神経調節構成部が前記神経を調節しながら血管内に配置されるよう構成した第１部分と、前記神経調節構成部が前記神経を調節しながら、体外に配置されるように構成された前記第１部分の近位の第２部分とを有する、細長いシャフトと、
前記第１部分の区分周辺を延びる閉塞部材と、
前記第１部分の区分の遠位側のサンプリングポートと、
前記サンプリングポートから前記第２部分に向かって延びるサンプリング管腔と、
前記閉塞部材内の膨張開口部と、
前記膨張開口部から前記第２部分に向かって延びる膨張管腔と、を備えている、
ことを特徴とするシステム。
【請求項２】
前記神経の調節に応答して変化する生物学的パラメータのため、前記患者から生物学的試料を解析するよう構成されたアナライザーをさらに含む、
請求項１に記載のシステム。
【請求項３】
前記アナライザーが、前記第２部分に作動可能に連結され、
前記サンプリング管腔が、前記サンプリングポートから前記シャフトに沿って前記アナライザーに延びる、
請求項２に記載のシステム。
【請求項４】
前記第２部分に連結するハンドルをさらに含み、前記アナライザーが前記ハンドルに指示されている、
請求項２に記載のシステム。
【請求項５】
前記アナライザーが、前記生物学的パラメータの状態、前記生物学的パラメータに基づく神経調節の状態、またはその両方を示すよう構成されたインジケーターを備えている、  請求項２に記載のシステム。
【請求項６】
前記閉塞部材の近位側のかん流吸入口と、
前記閉塞部材の遠位側のかん流排出口と、
前記かん流吸入口および前記かん流排出口の間を延びるかん流管腔と、
前記かん流管腔に作動可能に連結された加圧装置と、
前記閉塞部材が腎動脈を少なくとも部分的に閉塞しながら、前記かん流吸入口を介して前記かん流管腔に、かつ、前記かん流排出口を介してかん流管腔から、血液を移動させるよう構成されたポンプと、をさらに備えている、
請求項２に記載のシステム。
【請求項７】
前記シャフト内にガイドワイヤ管腔をさらに含み、前記サンプリング管腔および膨張管腔が、前記ガイドワイヤ管腔の反対側に最も近いシャフト内に配置される、
請求項１に記載のシステム。
【請求項８】
前記閉塞部材が、コンプライアントバルーンである、
請求項１に記載のシステム。
【請求項９】
前記サンプリング管腔に作動可能に連結された真空ポンプをさらに含む、
請求項１に記載のシステム。
【請求項１０】
前記神経調節構成部が、お互い離れた複数の電極を備え、前記電極が、ＲＦエネルギーを前記神経に同時に送達するよう構成された、
請求項１に記載のシステム。
【請求項１１】
前記神経調節構成部が、送達状態および展開状態を有し、
前記神経調節構成部の少なくとも一部が、前記展開状態でらせん状である、
請求項１０に記載のシステム。
【請求項１２】
前記神経調節構成部が、単一の電極を備えている、
請求項１に記載のシステム。
【請求項１３】
患者の腎動脈または腎動脈の近くで神経を調節するよう構成された神経調節構成部と、
前記神経調節構成部が前記神経を調節しながら血管内に配置される第１部分と、前記神経調節構成部が前記神経を調節しながら体外に配置されるよう構成された前記第１部分の近位の第２部分と、を有する細長いシャフトと、
前記第１部分の区分周辺に延びる閉塞部材と、
前記第１部分の区分に遠位的なサンプリングポートと、
前記サンプリングポートから前記第２部分に向かって延びるサンプリング管腔と、
前記閉塞部材内の膨張開口部と、
前記膨張開口部から前記第２部分に向かって延びる膨張管腔と、
前記神経の調節に応答して変化する生物学的なパラメータのため、前記患者からの生物学的試料を解析するよう構成されたアナライザーと、
遠位的サンプリング構成部を有するサンプリングけん引部であって、
前記閉塞部材が腎動脈を少なくとも部分的に閉塞しながら、前記サンプリングけん引部が前記シャフトから前記神経調節構成部を越えて前記患者の腎臓の葉間血管に遠位的に延びるよう構成されている、
サンプリングけん引部と、備え、
前記サンプリングポートが、前記遠位的サンプリング構成部に支持されている、
ことを特徴とするシステム。
【請求項１４】
前記第２部分に連結するハンドルをさらに含み、前記アナライザーが、前記ハンドルに支持されている、
請求項１３に記載のシステム。
【請求項１５】
前記アナライザーが、前記生物学的パラメータの状態、前記生物学的パラメータに基づく前記神経調節の状態、またはその両方を示すよう構成されたインジケーターを備えている、
請求項１３に記載のシステム。
【請求項１６】
患者の腎動脈または腎動脈近くの神経を調節するよう構成された神経調節構成部と、
前記神経調節構成部が前記神経を調節しながら血管内に配置されるよう構成された第１部分と、前記神経調節構成部が前記神経を調節しながら体外に配置するよう構成された前記第１部分の近位の第２部分と、を有する第１の細長いシャフトと、
前記第１部分の区分周辺に延びる閉塞部材と、
前記区分の遠位側のサンプリングポートと、
前記サンプリングポートから前記第２部分に向かって延びるサンプリング管腔と、
前記閉塞部材内の膨張開口部と、
前記膨張開口部から前記第２部分に向かって延びる膨張管腔と、
前記神経調節構成部に連結した遠位端部を有する第２の細長いシャフトと、
前記サンプリングポートの遠位側の装置開口部と、
前記装置開口部から前記第２部分に向かって延びる装置管腔と
を含むシステムであって、
前記第２のシャフトが、前記遠位端部が前記装置開口部を介して延びるように、前記装置管腔を介してスライド可能に延びるよう構成される、
ことを特徴とするシステム。
【請求項１７】
前記神経の調節に応答して変化する生物学的なパラメータのため、前記患者から生物学的試料を解析するよう構成されたアナライザーをさらに備えている、
請求項１６に記載のシステム。
【請求項１８】
前記アナライザーが、前記第２部分に作動可能に連結し、
前記サンプリング管腔が、前記サンプリングポートから前記シャフトに沿って前記アナライザーに延びる、
請求項１７に記載のシステム。
【請求項１９】
前記第２部分に連結するハンドルをさらに備え、前記アナライザーが前記ハンドルにより運ばれる、
請求項１７に記載のシステム。
【請求項２０】
前記アナライザーが、前記生物学的パラメータの状態、前記生物学的パラメータに基づく前記神経の調節の状態、またはその両方を示すよう構成されたインジケーターを備えている、
請求項１７に記載のシステム。
【請求項２１】
近位部にハンドルと、遠位部に神経調節およびサンプリングアセンブリと、それらの間に細長いシャフトとを有する血管内カテーテルであって、前記神経調節およびサンプリングアセンブリが、
腎臓の神経を調節するよう構成された神経調節構成部と、
神経調節構成部に近位的であり、腎臓血液試料を収集するよう構成されたサンプリング構成部であって、前記サンプリング構成部が、
サンプリングポートと、
前記サンプリングポートから前記シャフトに沿って前記ハンドルに延びるサンプリング管腔と、を有するサンプリング構成部と、
前記サンプリング構成部の近位側の閉塞構成部であって、前記閉塞構成部が、
バルーンと、
前記バルーン内の膨張開口部と、
前記膨張開口部から前記ハンドルに向かって延びる膨張管腔と
を有する、血管内カテーテルと、
前記ハンドルに作動可能に連結したコンソールであって、前記神経調節構成部にエネルギーを供給するよう構成された、コンソールと、
前記腎臓の血液の試料内のバイオマーカーの濃度を検出するよう構成されたアナライザーであって、前記濃度が、前記腎神経の調節の度合いに対応するアナライザーと、
を備えている、
ことを特徴とするシステム。
【請求項２２】
ヒト患者の動脈への管腔内送達のために構成された遠位部を含む細長いシャフトと、
前記遠位部を介して前記シャフトに接続する神経調節およびサンプリングアセンブリであって、
患者の動脈の最も近くで神経を調節するよう構成されたエネルギー送達構成部と、
前記患者から前記治療部位または治療部位の近くで生物学的試料を血管内で得るよう構成されたサンプリングポートと、を有するアセンブリと、
前記シャフトに作動可能に連結し、前記生物学的な試料の少なくとも一部を受容し、前記生物学的試料の状態、および／または前記生物学的試料に基づく前記神経の調節の状態を示すよう構成されたアナライザーと、を備えている、
ことを特徴とするシステム。
【請求項２３】
前記神経調節およびサンプリングアセンブリが、前記サンプリングポートに近位的な前記シャフトの一部周辺に延びる閉塞部材をさらに備えている、
請求項２２に記載のシステム。
【請求項２４】
前記サンプリングポートから前記細長いシャフトの近位部に向かって延びるサンプリング管腔をさらに含む、
請求項２２に記載のシステム。
【請求項２５】
前記サンプリング管腔が、陰圧供給源と作動可能に連結される、
請求項２４に記載のシステム。
【請求項２６】
前記サンプリング管腔が、１方向弁を備えている、
請求項２５に記載のシステム。
【請求項２７】
前記神経調節およびサンプリングアセンブリが、複数のエネルギー送達構成部に点在する複数のサンプリングポートを備えている、
請求項２５に記載のシステム。
【請求項２８】
ヒトの患者の動脈への管腔内送達のために構成された遠位部を含む細長いシャフトと、
前記遠位部を介して前記シャフトに連結する神経調節およびサンプリングアセンブリであって、
患者の動脈の最も近くで神経を調節するよう構成されたエネルギー送達構成部と、
前記患者から前記治療部位または前記治療部位の近くで生物学的試料を血管内で得るように構成されたサンプリングポートと、
前記サンプリングポートに近位的な閉塞部材であって、１つ以上の圧力センサーを有する閉塞部材と、を有するアセンブリと、
前記１つ以上の圧力センサーに作動可能に接続するコントローラであって、メモリおよび処理回路を含み、前記メモリが、前記処理回路を使用して前記コントローラにより実行される際、
前記コントローラが前記１つ以上の圧力センサーを介して閉塞部材の圧力測定値を獲得し、かつ
前記閉塞部材が前記閉塞部材の圧力測定値に基づきある容積まで拡大する命令を記憶する、コントローラと、を備えている、
ことを特徴とするシステム。